(57)【要約】濃くし且つ／又は長くすることによって髪のボリュームを増やすための方法及び関連アセンブリにおいて、ほとんど目に見えず完全に一体化した非常に小さな寸法の接続を用いて、ヘア・エクステンションを、たとえそれが一群のエクステンションであっても手動介入の必要なしに迅速に適用できる方法及び関連アセンブリであって、対応するそれぞれの接続要素９を備えた対応するそれぞれの近位端７を有する１つ又は複数のヘア・エクステンションＣを提供するステップと、第１の粘着テープ４；１０２を提供し、それを、濃くする髪Ｔの前記近位端７を受け取ることが意図された領域に接着させるステップと、粘着面４３；１０５；２０５；３０５を有する第２の粘着テープ３；１０４；２０４；３０４を提供し、前記粘着面に、前記ヘア・エクステンションＣの近位端７を接着させるステップと、濃くする髪の前記第１の粘着テープ４；１０２があるところに、前記粘着面４３；１０５；２０５；３０５を接着させるステップと、ヘア・エクステンションＣの前記接続要素９に対して作用する接続手段を活動化させるステップとを含む方法及び関連アセンブリ。
2005539159.tif 000002
【特許請求の範囲】
【請求項１】
濃くし且つ／又は長くすることによって髪のボリュームを増やすための方法であって、
＊対応するそれぞれの接続要素（９）を備えた対応するそれぞれの近位端（７）を有する１つ又は複数のヘア・エクステンション（Ｃ）を提供するステップと、
＊第１の粘着テープ（４；１０２）を提供し、それを、濃くする髪（Ｔ）の前記近位端（７）を受け取ることが意図された領域に接着させるステップと、
＊粘着面（４３；１０５；２０５；３０５）を有する第２の粘着テープ（３；１０４；２０４；３０４）を提供し、前記粘着面に、前記ヘア・エクステンション（Ｃ）の前記近位端（７）を接着させるステップと、
＊濃くする髪の前記第１の粘着テープ（４；１０２）があるところに、前記粘着面（４３；１０５；２０５；３０５）を接着させるステップと、
＊前記ヘア・エクステンション（Ｃ）の前記接続要素（９）に対して作用する接続手段を活動化させるステップと
を含む方法。
【請求項２】
濃くし且つ／又は長くすることによって髪のボリュームを増やすための方法であって、
＊対応するそれぞれの接続要素（９）を有する対応するそれぞれの近位端（７）を備えた１つ又は複数のヘア・エクステンション（Ｃ）を提供するステップと、
＊粘着テープ（２）を提供し、前記粘着テープのセクション（３）の粘着面（４３）に所定の配置に従って前記近位端（７）を、前記セクション（３）の上に前記粘着テープの残部（４）を折り畳むことができるように配置するステップと、
＊折り畳まれた粘着テープ（２）の前記セクション（３）と前記残部（４）の間に濃くする髪の一部分を封入して、前記近位端（７）を受け取ることが意図された領域を決定するステップと、
＊前記ヘア・エクステンション（Ｃ）の前記接続要素（９）に対して作用する接続手段を活動化させるステップと
を含む方法。
【請求項３】
前記接続要素（９）が熱可塑性材料を含む、請求項１又は２に記載の方法。
【請求項４】
前記接続手段がエネルギーの適用によって活動化される、請求項１又は２に記載の方法。
【請求項５】
熱が加えられる、請求項４に記載の方法。
【請求項６】
実質的に超音波の周波数を有する振動の形態の機械エネルギーが加えられる、請求項４に記載の方法。
【請求項７】
前記エネルギーが、前記テープ（４；１０２、３；１０４；２０４；３０４）の全長に沿って均一に圧力を加える、実質的に細長い、固定要素（１２）と可動圧力要素（１５）とを備えたグリッパ・アプリケータ（１０）によって加えられる、請求項４に記載の方法。
【請求項８】
前記近位端（７）が等間隔である、請求項１又は２に記載の方法。
【請求項９】
前記粘着テープ（４；１０２、３；１０４；２０４；３０４）（２）が透明である、請求項１又は２に記載の方法。
【請求項１０】
前記熱可塑性材料が凝固した後に前記粘着テープ（４；１０２、３；１０４；２０４；３０４）の除去を提供する、請求項１又は２に記載の方法。
【請求項１１】
粘着テープ（２）の前記残部（４）が、濃くする前記髪（Ｔ）の外面に接着され、対応するそれぞれの粘着面（４４）が頭部のほうを向く、請求項２に記載の方法。
【請求項１２】
前記近位端（７）の位置決め手段（３１０）を設計された前記粘着面（３０５）に提供して、前記位置決め手段（３１０）に従って前記近位端（７）を前記粘着面（３０５）に接着させるステップを含む、請求項１又は２に記載の方法。
【請求項１３】
前記位置決め手段が、前記粘着テープ（３０４）に関連づけられた複数の位置インジケータ（３１０）を含む、請求項１２に記載の方法。
【請求項１４】
前記位置決め手段が、対応するそれぞれの設計された前記接続要素（９）の寸法に関して異なる形状のインジケータをそれぞれが有する位置インジケータ（３１０）の複数の列を含む、請求項１３に記載の方法。
【請求項１５】
列ごとに、対応するそれぞれの設計された前記接続要素（９）のサイズに従って変化する前記ヘア・エクステンション（Ｃ）の適用密度が提案される、請求項１４に記載の方法。
【請求項１６】
前記接続要素（９）のサイズを小さくすることによって同じ列の隣接した位置インジケータ（３１０）間のピッチを小さくする、請求項１５に記載の方法。
【請求項１７】
前記位置インジケータ（３１０）が対応するそれぞれの前記接続要素（９）の形状に似た形状を有し、そのため対応するそれぞれの前記インジケータ（３１０）に前記接続要素（９）を接着させると、同じ粘着テープ（３０５）に置かれた前記ヘア・エクステンション（Ｃ）の実質的な平行が自動的に達成される、請求項１３に記載の方法。
【請求項１８】
前記位置インジケータ（３１０）が前記粘着テープ（３０５）上にトレースされる、請求項１３に記載の方法。
【請求項１９】
前記位置決め手段が、前記粘着テープ（３０５）の下に位置する位置決めトレースを有するステンシルを含む、請求項１に記載の方法。
【請求項２０】
前記粘着テープ・セクション（３）及び前記残部（４）が対応するそれぞれのフラップ（５１、５２）に接着するように折畳み線（５３）によって結合された一対のフラップ（５１、５２）を有する折畳み要素（５０）を配置するステップと、折り畳まれた粘着テープ（２）の前記セクション（３）と前記残部（４）の間に濃くする髪（Ｔ）の一部分を封入して、前記近位端（７）を受け取るように設計された領域を前記折畳み要素（５０）の助けを借りて選び出すステップとを含み、前記折畳み要素（５０）が前記髪（Ｔ）の前記部分から除去することが意図されている、請求項２に記載の方法。
【請求項２１】
前記接続要素（９）と接触することが意図された前記粘着テープ（３、４；１０２；１０４；２０４；３０４）の面（４３、４４；１０２；１０５；２０５；３０５）が実質的に折り目を持ち，且つ／又は著しい表面粗さを有する、請求項１又は２に記載の方法。
【請求項２２】
前記面（４３、４４；１０２；１０５；２０５；３０５）が、前記粘着テープ（３、４；１０２；１０４；２０４；３０４）、したがって適用された前記接続要素（９）を光沢のないものにするような表面粗さを有する、請求項２１に記載の方法。
【請求項２３】
前記粗さが４つの方法のうちの１つ、すなわち適当なグレージングによる方法、例えばサンディングを用いて実施可能な機械的腐食による方法、例えば酸浴を用いこれに前記テープを浸すことで実施可能な化学的腐食による方法、又は研磨パッドを用いこれを前記テープ面にこすりつけることで実施可能な研磨による方法に従って達成される、請求項２２に記載の方法。
【請求項２４】
前記面（４３、４４；１０２；１０５；２０５；３０５）が、個々の髪の直径に類似した横断寸法及び前記ヘア・エクステンション（Ｃ）の髪の方向に平行な方向の複数のリブ及びみぞを有する、請求項２１及び２２のうちの一項に記載の方法。
【請求項２５】
前記リブ及びみぞが４つの方法、すなわち適当なグレージングによる方法、適当な型を用いて実施される押出し成形による方法、適応シルクスクリーン・パッド及び前記パッドを通して適用される腐食剤を用いて実施可能な化学エッチングによる方法、及び適当な研摩手段又は表面エッチング手段を用いたテープ材料の整列したストリップの機械的除去による方法、のうちの１つによって前記テープ面（４３、４４；１０２；１０５；２０５；３０５）上に新しく生み出される、請求項２４に記載の方法。
【請求項２６】
前記面（４３、４４；１０２；１０５；２０５；３０５）が、前記粘着テープ（３、４；１０２；１０４；２０４；３０４）、したがって適用された前記接続要素（９）を光沢のないものにするような表面粗さを有し、且つ個々の髪の直径に類似した横断寸法及び前記ヘア・エクステンション（Ｃ）の髪の方向に平行な方向の複数のリブ及びみぞを有する、請求項２２及び２４に記載の方法。
【請求項２７】
前記接続要素（９）と接触するように設計された粘着テープ（４３、４４；１０２；１０５；２０５；３０５）の面（３、４；１０２；１０４；２０４；３０４）が実質的にけばで覆われている、請求項１又は２に記載の方法。
【請求項２８】
前記けばがフロック加工によって付着される、請求項２７に記載の方法。
【請求項２９】
前記フロック加工は静電型である、請求項２８に記載の方法。
【請求項３０】
前記けばが、対応するそれぞれの前記粘着面（４３、４４；１０２；１０５；２０５；３０５）によって前記テープ（３、４；１０２；１０４；２０４；３０４）上に保持される、請求項２８に記載の方法。
【請求項３１】
前記けばが、前記粘着面（４３、４４；１０２；１０５；２０５；３０５）の前記接着剤に混入される、請求項２７に記載の方法。
【請求項３２】
複数のヘア・エクステンション（Ｃ）の適用を可能にするために、所定の配置に従って配置された複数のヘア・エクステンション（Ｃ）が提供される、前記請求項のいずれか一項に記載の方法。
【請求項３３】
濃くし且つ／又は長くすることによって髪のボリュームを増やすためのアセンブリであって、
＊対応するそれぞれの接続要素（９）を備えた対応するそれぞれの近位端（７）を有する１つ又は複数のヘア・エクステンション（Ｃ）と、
＊濃くする髪に可逆的に適用するのに適した第１の粘着テープ（４；１０２）と、
＊前記接続要素（９）を受け取るのに適した粘着面（４３；１０５；２０５；３０５）を有する第２の粘着テープ（３；１０４；２０４；３０４）と
を備えたアセンブリ。
【請求項３４】
濃くし且つ／又は長くすることによって髪のボリュームを増やすためのアセンブリであって、
＊対応するそれぞれの接続要素（９）を備えた対応するそれぞれの近位端（７）を有する１つ又は複数のヘア・エクステンション（Ｃ）と、
＊その上に所定の配置に従って前記近位端（７）が配置された粘着面（４３）を備えたセクション（３）を有する粘着テープ（２）と
を備え、
前記粘着テープ（２）が前記セクション（３）の上に折り畳むのに適した残部（４）を含み、前記セクション（３）が髪に可逆的に適用するのに適している
アセンブリ。
【請求項３５】
前記接続要素（９）が熱可塑性材料から作られている、請求項３３又は３４の一項に記載のアセンブリ（１）。
【請求項３６】
前記粘着テープ（３、４；１０２；１０４；２０４；３０４）が透明である、請求項３３又は３４に記載のアセンブリ（１）。
【請求項３７】
前記熱可塑性材料がポリエステル及び／又はポリアミド及び／又はポリウレタンを含む、請求項３５に記載のアセンブリ（１）。
【請求項３８】
前記粘着面（４３、４４；１０２；１０５；２０５；３０５）が、圧力で機能する非永続性のリバーシブル・タイプの接着剤を有し、対応するそれぞれの前記テープ（３、４；１０２；１０４；２０４；３０４）に対する接着力が前記熱可塑性材料に対して生み出される接着力よりも大きい、請求項３３又は３４に記載のアセンブリ（１）。
【請求項３９】
少なくとも前記粘着テープ（３、４；１０２；１０４；２０４；３０４）が耐熱性である、請求項３３又は３４に記載のアセンブリ（１）。
【請求項４０】
前記セクション（３）と前記残部（４）が単なる折り目又は折畳み線（５）によって分離されている、請求項３４に記載のアセンブリ（１）。
【請求項４１】
前記接続要素（９）が実質的に等間隔であり、粘着テープ（２）の対応するそれぞれの前記セクション（３）の中央に置かれており、隣接するエクステンション（Ｃ）の髪がからみ合わないように前記エクステンション（Ｃ）が互いに平行に整列している、請求項３４に記載のアセンブリ（１）。
【請求項４２】
粘着テープ（２）の前記残部（４）が、前記接続要素（９）の位置を指示するための手段（４９）を有する、請求項３４に記載のアセンブリ（１）。
【請求項４３】
前記粘着テープ（２）が、前記残部（４）の反対側に、前記セクション（３）の上に実質的に札入れの形状に折り畳まれた前記残部（４）に接続するのに適した、やはり粘着性のフラップ（４５）を含む、請求項３４に記載のアセンブリ（１）。
【請求項４４】
折り畳まれた形状で前記アセンブリ（１）がさらに、前記テープ（２）の両端、又は前記残部（４）及び前記フラップ（４５）を前記セクション（３）に接続する前記折り目に形成された一対の凹み（４６）を含み、前記凹み（４６）が、前記接続手段の案内の働きをする前記接続要素（９）を指示するための前記手段（４９）のところに配置されている、請求項４２及び４３に記載のアセンブリ（１）。
【請求項４５】
前記粘着テープ（３、４；１０２；１０４；２０４；３０４）から容易にはがすことができる材料から作られ、前記粘着面（４３、４４；１０２；１０５；２０５；３０５）及び前記接続要素（９）を保護するように配置された支持テープ（Ｓ）を備える、請求項３３又は３４に記載のアセンブリ（１）。
【請求項４６】
前記第２の粘着テープ（２０５）が、ヘア・エクステンション（Ｃ）の１つ又は複数の近位端（７）をそれぞれが含む前記テープの相補部分（２０５）を実施するためのものなどの、前記テープ（２０５）に形成された選択的引裂き線（２０８）を有する、請求項１に記載のアセンブリ（１）。
【請求項４７】
前記選択的引裂き線（２０８）が実質的にフレット又はコイル形の経路に従い、そのため前記テープの相補部分（２０５）が、交互のヘア・エクステンション（Ｃ）の前記近位端（７）及び前記対応するそれぞれの接続要素（９）を受け取る、請求項４６に記載のアセンブリ（１）。
【請求項４８】
前記ヘア・エクステンション（Ｃ）の前記分離を容易にするため、前記選択的引裂き線（２０８）が、前記エクステンション（Ｃ）と向き合うループにスリットを有し、前記エクステンション（Ｃ）の反対側を向いたループに接続セクションを有する、請求項４７に記載のアセンブリ（１）。
【請求項４９】
それぞれの１つ又は複数の接続要素（９）を分離する前記テープ（２０５）を端から端まで横断する複数の選択的引裂き線又は単なる分離線（２８１）を含む、請求項４６に記載のアセンブリ（１）。
【請求項５０】
それぞれの選択的引裂き線（２８１）が、前記個々の部分の組立てを容易にする基準インデント（２８２）を含む、請求項４９に記載のアセンブリ（１）。
【請求項５１】
それぞれの選択的引裂き線（２８１）が視覚的位置基準（２８４）を含む、請求項４９に記載のアセンブリ（１）。
【請求項５２】
前記線又は前記選択的引裂き線（２０８、２８１）が別個のいくつかの接続要素（９）を分離し、これによってヘア・エクステンション（Ｃ）をセットで混合することができる、請求項４６から５１までのいずれか一項に記載のアセンブリ（１）。
【請求項５３】
前記ヘア・エクステンション（Ｃ）の前記近位端（７）を受け取る前記粘着面（３０５）が位置インジケータ（３１０）を有する、請求項３３に記載のアセンブリ（１）。
【請求項５４】
前記接続要素（９）と接触するように設計された前記粘着テープ（３、４；１０２；１０４；２０４；３０４）の前記面（４３、４４；１０２；１０５；２０５；３０５）が実質的に折り目を持ち、且つ／又は著しい表面粗さを有する、請求項３３又は３４に記載のアセンブリ（１）。
【請求項５５】
前記面（４３、４４；１０２；１０５；２０５；３０５）が、前記粘着テープ（３、４；１０２；１０４；２０４；３０４）、したがって適用された前記接続要素（９）を光沢のないものにするような表面粗さを有する、請求項５４に記載のアセンブリ（１）。
【請求項５６】
前記粗さが４つの方法のうちの１つ、すなわち適当なグレージングによる方法、例えばサンディングを用いて実施可能な機械的腐食による方法、例えば酸浴を用いこれに前記テープを浸すことで実施可能な化学的腐食による方法、又は研磨パッドを用いこれを前記テープ面にこすりつけることで実施可能な研磨による方法に従って達成される、請求項５５に記載のアセンブリ（１）。
【請求項５７】
前記面（４３、４４；１０２；１０５；２０５；３０５）が、個々の髪の直径に類似した横断寸法及び前記ヘア・エクステンション（Ｃ）の髪の方向に平行な方向の複数のリブ及びみぞを有する、請求項５４に記載のアセンブリ（１）。
【請求項５８】
前記リブ及びみぞが４つの方法、すなわち適当なグレージングによる方法、適当な型を用いて実施される押出し成形による方法、適応シルクスクリーン・パッド及び前記パッドを通して適用される腐食剤を用いて実施可能な化学エッチングによる方法、及び適当な研摩手段又は表面エッチング手段を用いたテープ材料の整列したストリップの機械的除去による方法、のうちの１つによって前記テープ面（４３、４４；１０２；１０５；２０５；３０５）上に新しく生み出される、請求項５７に記載のアセンブリ（１）。
【請求項５９】
前記面（４３、４４；１０２；１０５；２０５；３０５）が、前記粘着テープ（３、４；１０２；１０４；２０４；３０４）、したがって適用された前記接続要素（９）を光沢のないものにするような表面粗さを有し、且つ個々の髪の直径に類似した横断寸法及び前記ヘア・エクステンション（Ｃ）の髪の方向に平行な方向の複数のリブ及びみぞを有する、請求項５５及び５７に記載のアセンブリ（１）。
【請求項６０】
前記接続要素（９）と接触するように設計された粘着テープ（４３、４４；１０２；１０５；２０５；３０５）の面（３、４；１０２；１０４；２０４；３０４）が実質的にけばで覆われている、請求項３３又は３４に記載のアセンブリ（１）。
【請求項６１】
前記けばがフロック加工によって付着される、請求項６０に記載のアセンブリ（１）。
【請求項６２】
前記フロック加工は静電型である、請求項６１に記載のアセンブリ（１）。
【請求項６３】
前記けばが、前記対応するそれぞれの粘着面（４３、４４；１０２；１０５；２０５；３０５）によって前記テープ（３、４；１０２；１０４；２０４；３０４）上に保持される、請求項６０に記載のアセンブリ（１）。
【請求項６４】
前記けばが、前記粘着面（４３、４４；１０２；１０５；２０５；３０５）の前記接着剤に混入される、請求項６０に記載のアセンブリ（１）。
【請求項６５】
前記接続要素（９）が、水分の存在下で硬化する反応性ホットメルト接着剤から作られている、請求項３３又は３４に記載のアセンブリ（１）。
【請求項６６】
前記接続要素（９）が２パック接着剤から作られている、請求項３３又は３４に記載のアセンブリ（１）。
【請求項６７】
複数のヘア・エクステンション（Ｃ）の適用を可能にするために、所定の配置に従って配置された複数のヘア・エクステンション（Ｃ）が提供される、請求項３３から６６までのいずれか一項に記載のアセンブリ（１）。
【発明の詳細な説明】
【技術分野】
【０００１】
本発明は髪のボリュームを増やすための方法、すなわち髪を濃くし（濃密化）且つ／又は長く（延長）するための方法、並びに、前記方法で使用するのに適したヘア・エクステンションを用いて髪のボリュームを増やすための関連濃密化及び／又は延長アセンブリに関する。
【背景技術】
【０００２】
髪のボリュームを濃くするシステム及び髪を長くするシステムは様々なものがすでに知られている。これらのシステムは一般に、天然又は人造のヘア・エクステンション又はヘア・ロックを使用し、次いでこれらを、次いで提案された適用方法に基づいて、このような処置を依頼した使用者の承認及び満足を決定する方法を使用して髪に固定する。
【０００３】
この種の処置を用いて満足感を増大させるのに役立つ他の側面は実施スピードである。
【０００４】
知られているシステムは、ヘア・エクステンションを使用者の接続先の髪に接続するステップを含む。このステップの間にヘア・エクステンションは基本的に使用者の髪に縫い付け、接着し又は結び付けることができるが、これらのシステムに従うと、１つ１つのヘア・エクステンションが手作業による正確な操作を要求することから、髪の濃密化又は延長の実施に非常に長い時間がかかる。
【０００５】
クラスプ、くし、ヘアピンなどの外部要素の使用を要求する、ヘア・エクステンションと接続先の髪とを接続する別の方法が知られている。これらの要素を使用して、大きな寸法のヘア・エクステンションでも使用者の接続先の髪に取り付けることができるが、それらは、使用者から接続がはっきりと見え、使用者がそれを感じることができ、使用者がそれから不快感を受けるという大きな不便を有する。
【０００６】
他の知られている手段の中で、サイズの小さなエクステンションを接続先の髪に接続することを可能にする手段がある。接着剤、小さなクラスピング要素などの使用を要求するこの方法はかなり良好な結果を与えるが、オペレータはそれぞれの個々のヘア・エクステンションを接続しなければならないので、いずれの場合も長い適用時間が必要となり、また、接続が使用者及び周囲の人の目に見えてしまうのでヘア・エクステンションをより大きなサイズにすることもできない。
【０００７】
例えば米国特許第４９３４３８７号（Ｍｅｇｎａ）に記載されている方法のように、方法の実施において接着剤を塗布する方法にも同様の困難がある。米国特許第４９３４３８７号の方法では、高温の液体の状態で接着剤を固定するそれぞれのヘア・エクステンションの端に塗るので、時間に関して特に面倒である。その上、オペレータは熱い接着剤を指で扱わなければならず、その不快感は同情すべきものである。
【０００８】
米国特許５１０７８６７号（Ｂａｒｒｉｎｇｔｏｎ）にもこのような種類の方法が記載されている。この方法では、ガン形のディスペンサ又は他のアプリケータから塗布場所に所定の分量の接着剤を塗布する。しかし、このＢａｒｒｉｎｇｔｏｎの特許では、接着剤が熱収縮可能なチュービングの中に閉じ込められ、接着剤が残りの髪に貼りつくことなく固まってしまう。
【０００９】
米国特許第４９８２７４８号（Ｔｒｉｍａｒｃｈｉ）は、低温で塗布した後に加熱する必要がある熱硬化性接着剤の使用を提案している。
【００１０】
しかし、接着剤を使用するこれらの適用例はいくつかの要素、すなわち補足用の髪、接着剤、チュービング、ガンの複雑な操作を必要とし、さらに時間の増大を伴う。
【００１１】
さらに、硬化した接着剤は、一種のボール又はスカートを形成する。これらは、触るとはっきりとそれと分かり、方法の容易さの程度を減じ、見て分かり、濃密化から得られる所望の美的改善を妨げる。
【００１２】
濃くし且つ／又は長くするためにエクステンションごとに保持する、この方法の他の例が、日本国特許ＪＰ０３１５２２０５（Ａｄｅｒａｎｓ  Ｃｏ．Ｌｔｄ．）及びこの技法の改良に言及した他の後続の特許、例えば南アフリカ特許ＺＡ９３／５２１４又はドイツ特許ＤＥ１９６  ２６  １０７Ｃに開示されている本発明の発明者によって開発された改良に記載されている。
【００１３】
これらの文献は、熱可塑性接着剤の塗布を用いてヘア・エクステンションを髪に固定する濃密化要素及びそれに関連した適用方法を記載している。この文脈において、適用が手作業であること、したがってエクステンションごとに適用が均一でない可能性があることは明らかである。
【００１４】
手作業を強いるこれらの知られている方法はしたがって一連の欠点を包含する。第１に、適切になされた接続を実施することができるために、オペレータが、この技法の多くの経験及び実践を持っていなければならず、これは明らかに常に可能とはいえない条件である。さらに、経験とは別に、均一な接続を生み出すことは極めて難しい。髪の濃密化のために提案された線に沿って正確に配置されないと接続は非常に様々となり、質及びサイズが異なってくる。
【００１５】
このことは全て、仕上がった仕事の質が最善ではなく、より摩耗にさらされ、修正することができない欠陥を有し、非常に長い適用時間のためコストが増大し、経験豊かなオペレータを配置することが困難であることを意味する。
【００１６】
さらに、硬化した接着剤は、触るとはっきりとそれと分かり、方法の容易さの程度を減らし、さらに観察されることができ、濃密化から得られる所望の審美的改良を妨げる一種のボール又はスカートを形成する。
【００１７】
別の改良が、本発明と同じ発明者を指名した本発明の出願人の名義の国際出願ＷＯ０２／０９８２５０に記載されている。
【００１８】
この文献には、一組のエクステンションを粘着テープを利用して１つのステップで適用し、接続要素を正しい位置に配置し次いでそれらを同時に活動化する、髪のボリュームを増やすためのヘア・エクステンションの方法及びアセンブリが開示されている。
【００１９】
このシステムは、ヘア・エクステンションの適用を大幅にスピードアップするが、不満足な寸法となりさらに目にも見える不完全な接続の問題が解決されない。
【発明の開示】
【発明が解決しようとする課題】
【００２０】
本発明の根底にある技術的課題は、髪のボリュームを増やすための方法、及び前記方法で使用するのに適したヘア・エクステンションを含む関連アセンブリであって、現状技術に関して述べた欠点を回避することができる方法及び関連アセンブリを提供することにある。
【課題を解決するための手段】
【００２１】
課題を解決するためのアイデアは、基本的に手動操作が必要なく、ヘア・エクステンションをセットで適用でき、ヘア・エクステンションを支持する接続要素と使用者の髪との間の完璧な一体化を実現する、髪を濃くし且つ／又は長くするための方法及びアセンブリを提供することからなる。
【００２２】
このアイデアによれば、接続要素の活動化の間、接続要素を制限された空間に閉じ込めて、接続要素が多くの髪を取り込み、膨張し、したがって目に見えるようになることがないようにすることが提案される。
【００２３】
さらに、適当にはこのアイデアは、ヘア・エクステンションをセットで適用する、髪を濃くし且つ／又は長くするシステムに適用されることが望ましい。ただしこれに限定されるわけではない。
【００２４】
本発明の一態様によれば、このような課題は先に明記した方法によって解決される。この方法は、
＊対応するそれぞれの接続要素を備えた対応するそれぞれの近位端を有する１つ又は複数のヘア・エクステンションを提供するステップと、
＊第１の粘着テープを提供し、それを、濃くする髪の前記近位端を受け取ることが意図された領域に接着させるステップと、
＊粘着面を有する第２の粘着テープを提供し、前記粘着面に、前記ヘア・エクステンションの近位端を接着させるステップと、
＊濃くする髪の前記第１の粘着テープがあるところに、前記粘着面を接着させるステップと、
＊ヘア・エクステンションの前記接続要素に対して作用する接続手段を活動化させるステップと
を含む。
【００２５】
同じ発明の概念によれば、前記技術的課題は先に明記したアセンブリによって解決される。このアセンブリは、
＊対応するそれぞれの接続要素を備えた対応するそれぞれの近位端を含む１つ又は複数のヘア・エクステンションと、
＊濃くする髪に可逆的に適用するのに適した第１の粘着テープと、
＊前記接続要素を受け取るのに適した粘着面を有する第２の粘着テープと
を備える。
【００２６】
先行する定義の根底にある同じ発明の概念によれば、この技術的課題はさらに先に明記した方法によって解決される。この方法は、
＊対応するそれぞれの接続要素を有する対応するそれぞれの近位端を備えた１つ又は複数のヘア・エクステンションを提供するステップと、
＊粘着テープを提供し、前記粘着テープのセクションの粘着面に所定の配置に従って前記近位端を、前記セクションの上に粘着テープの残部を折り畳むことができるように配置するステップと、
＊折り畳まれた粘着テープの前記セクションと前記残部の間に濃くする髪の一部分を封入して、前記近位端を受け取ることが意図された領域を決定するステップと、
＊ヘア・エクステンションの前記接続要素に対して作用する接続手段を活動化させるステップと
を含む。
【００２７】
上記方法のこの定義によって表現される同じ本発明の態様によれば、前記技術的問題は先に明記したアセンブリによって解決される。このアセンブリは、
＊対応するそれぞれの接続要素を備えた対応するそれぞれの近位端を有する１つ又は複数のヘア・エクステンションと、
＊その上に所定の配置に従って前記近位端が配置された粘着面を有するセクションを有する粘着テープと
を備え、
前記粘着テープが前記セクションの上に折り畳むのに適した残部を含み、前記セクションが髪に可逆的に適用するのに適している。
【００２８】
上で定義した方法及びアセンブリには、互いに対して圧縮された浸透できない２つの面の間に１つ又は複数の接続要素を閉じ込め、これによって圧縮された接続要素が膨張することを防ぐ基本的な概念が存在することを理解されたい。
【００２９】
この特色は、より小さな寸法の接続要素に対する接着剤の量、すなわち接続先の髪とヘア・エクステンションとの間を接続するのに必要な接着剤を節約することを可能にする。
【００３０】
それぞれの粘着テープ上に複数のエクステンションを１つのステップでセットで使用すると、多数のエクステンションを１つのステップで迅速に適用し、同時に、非常に小さな寸法を有ししたがって使用者にはほとんど目に見えず使用者によって検出されない対応する数の接続を実施することができる。
【００３１】
次に、添付図面を参照して非限定的な例として与えられる本発明のいくつかの実施例に従って本発明を開示する。
【００３２】
以下の開示では、複数のヘア・エクステンションを１つのステップで固定する実施例が開示されるが、当業者は、前記例の中の教示を、同じ発明の概念に基づく単一ヘア・エクステンション応用又は少数ヘア・エクステンション応用に容易に適合させることができる。
【実施例】
【００３３】
図１から３を参照すると、全体が１で指示された髪のボリュームを増やすためのアセンブリが開示されている。このアセンブリは一般にヘア・エクステンションを含む。
【００３４】
このアセンブリは、髪のボリュームを増やすための本発明に基づく方法で濃くし且つ／又は長くする髪に適用することが意図された粘着テープ２を含む。粘着テープ２は実質的に透明であることが好ましい。ただし透明でなくてはならないというわけではない。
【００３５】
後に明らかになるように、透明であると、適用段階及び達成された効果を、テープ２を髪に適用した後でもよりはっきりと追跡することができる。
【００３６】
後に詳述する理由から粘着テープ２を形成する材料は耐熱性であると適当である。ただし耐熱性でなければならないというわけではない。テープ２に使用される接着剤は、圧力を加えると機能する非永続性のリバーシブル・タイプの接着剤であり、この接着剤はテープ２の単一の粘着面上に置かれる。
【００３７】
粘着テープ２は、対応するそれぞれの第１の粘着面４３を含む第１のセクション３と、セクション３の上に折り畳んでセクション３を完全に覆うことができる粘着テープ２の残りの部分（残部）４とを有する（図２及び３）。この実施例では、前記残部４も、前述の接着面に接合される対応するそれぞれの第２の粘着面４４を有すると有利である。
【００３８】
セクション３と残部４は単純な折り目又は折畳み線５によって分離されている。
【００３９】
図１を参照すると、複数６のヘア・エクステンションＣが開示されている。これは短くエクステンションとも呼ばれ、適当に選択された均一な又は濃淡のある色を有する、天然又は人工の実質的に前もって決められた量の髪を含む。これらのエクステンションは基本的に、髪を濃くし且つ／又は長くするために髪に接続することができる補足用の髪からなる追加エクステンションである。
【００４０】
本発明に基づくアセンブリ１は、様々な太さ、長さ及び色のエクステンションＣを含むことができる。エクステンションは一般に、髪に接続することが意図された対応するそれぞれの近位端７から遠位の自由端８まで延びている。それぞれのエクステンションＣにおいて、対応するそれぞれの髪の長さは均一であることが好ましい。
【００４１】
それぞれのヘア・エクステンションＣは前記近位端７に、この実施例によればポリアミド、ポリエステル、ポリウレタンなどの熱可塑性材料、例えばナイロンから作られた接続要素９を含む。他の変更については後に説明する。
【００４２】
それぞれの近位端７及びそれぞれの接続要素９は、粘着テープ２のセクション３の前記第１の粘着面４３の上に配置される。接続要素９はほぼ等間隔であり、テープ４の中央に置かれている。隣接するエクステンションＣの髪がからみ合わないように、エクステンションＣは互いに平行に整列されている。
【００４３】
粘着テープ２の残部４は接続要素の位置を指示するための手段を有し、この実施例ではこの手段が印刷された線４９を含む。残部４をセクション３上へ折り畳むことによって、前記線４９は接続要素９の上に配置される。
【００４４】
粘着テープ２は、残部４のある側とは反対の側にやはり粘着性のフラップ（ｆｌａｐ）４５を含む。フラップ４５は、実質的に札入れ（ｂｉｌｌｆｏｌｄ）の形状にセクション３上に折り畳まれた残部４に接続するのに適している。
【００４５】
折り畳まれた形状ではアセンブリ１がさらに、テープ２の両端、又は残部４及びフラップ４５をセクション３に接続する折り目に形成された一対の凹み４６を含む。
【００４６】
前記凹み４６は、接続要素９を指示するための前記手段のところに配置されており、後に説明する接続手段の案内の働きをする。
【００４７】
図１を参照すると、アセンブリ１はさらに任意選択の支持テープＳを含む。このテープは、粘着テープ２から容易にはがすことができる材料、例えばシリコーン・コーティングされリネン風に仕上げられた紙又はプラスチックなどから作られ、粘着テープ２が折り畳まれ、カールし、貼りつくことがないよう粘着面４３、４４及び接続要素９を保護するために配置される。
【００４８】
前記粘着面４３、４４に使用される接着剤は、接続要素９の材料に対して生み出される接着力よりも大きな接着力をテープ２に対して発揮し、そのため、適用終了後に接続要素９に接着剤を残さない。
【００４９】
この準備技法では、テープ２が、対応するそれぞれのセクション３の粘着面４３にすでに接着されたヘア・エクステンションＣの近位端７を有することが提案される。ただし、様々な太さ、長さ、色などを有するエクステンションを別々に提供する解決法も可能である。
【００５０】
接続要素９を対応するそれぞれの近位端７に接続するのには様々なシステムを使用することができ、これには熱接着（ｈｏｔ  ｇｌｕｉｎｇ）、注入（ｉｎｊｅｃｔｉｏｎ）などが含まれる。
【００５１】
後に説明するように接着剤の働きをする熱可塑性材料の量を最小限に制限するため、好ましい接続要素の形態は、対応するそれぞれのエクステンション６の幅及び厚さにほぼ等しい幅及び厚さ（図面では拡大されている）を有する小さな長方形である。
【００５２】
全ての場合に、接続要素９のサイズは、補足用の髪の数に応じた可能な最も小さなサイズとすることができる。
【００５３】
したがって、前記接続要素９は、長く太いエクステンション用の大きなサイズ、中間の長さ及び太さのエクステンション用の中間サイズ、及びそれらの最小の太さを特徴とする、エクステンションを密に適用するのに適したエクステンション用の小さなサイズの中の、通常は見分けがつく異なるサイズを有することができることが提案される。
【００５４】
再びこの実施例を参照する。熱可塑性材料は、室温よりも高い温度で融解させて塑性流体の特性を持たせ、次いで冷やして室温で凝固させるのに適した物質である。
【００５５】
同様の特性を有する物質は、高周波数振動、特に超音波振動（２０から６０ｋＨｚ）の形態の機械エネルギーを直接に加えて融解することができる。この場合、分子間振動及び結果として生じる摩擦が、分子を互いに対して塑性的に移動させるために必要な熱量を生み出す。熱の生成は振動が止むと止まり、ほぼ即刻に凝固が起こる。
【００５６】
熱可塑性材料として使用することができる物質の例はポリエステル、ポリアミド、ポリウレタンなどである。
【００５７】
本発明に基づく接続要素の機能は、それぞれのエクステンション６の髪を一体に保持すること、及びボリュームを増やす髪の中の接続先の髪にエクステンションＣを取り付ける取付け点を提供することにある。
【００５８】
接続要素の他の例は、それにエクステンションの髪を固定するディスク形又はボール形の熱可塑性要素である。これらの接続要素は、例えばすでに説明した熱可塑性物質、又は圧力硬化性、熱硬化性、熱収縮性などの他の性質の接着剤の部分から作られた接続手段に関連付けられる。接続要素のいくつかの例が、本発明と同じ発明者を指名した本出願の出願人の国際出願ＷＯ０２／０９８２５０に記載されている。
【００５９】
接続要素９は、エクステンション６の髪の色に合致した色を有することができ、人工宝石などの追加の装飾要素を用いて飾ることもできる。
【００６０】
以上に記載した接続要素及びそのバリエーションは全て、後に記載する髪のボリュームを増やすための方法に適している。
【００６１】
代わって図４を参照すると、エクステンションを適用し髪を濃くする本発明の方法で使用するのに適した、全体が１０で指示されたヘア・エクステンション・アプリケータが記載されている。
【００６２】
一般に、このアプリケータはグリッパ（ｇｒｉｐｐｅｒ）のように構築されており、
＊テープのブロッキング手段がその上に形成された固定された対照要素（ｃｏｎｔｒａｓｔｉｎｇ  ｅｌｅｍｅｎｔ）と、
＊前記固定要素に作用する可動圧力要素と
を備えている。この可動圧力要素は、接続要素の圧縮が強すぎたり又は弱すぎたりしないように所定の圧力で動作する空気圧装置によって駆動される。
【００６３】
具体的には、このアプリケータ１０は、ハンドル及び後に説明するハウジング内装置として動作するボディ１１を有する。ボディ１１には、支持面１３を含む固定対照要素１２が固定されている。
【００６４】
支持面１３は、ボディ１１の長手方向に実質的に垂直であることに留意されたい。
【００６５】
アプリケータ１０はさらに、前記固定要素１２に作用する可動圧力要素１５を備える。可動圧力要素１５は、ボディ１１から延びる棒１７の先端に形成されたプレス面１６を有する。棒１７の軸はボディ１１の長手軸と一致している。プレス面１６も、ボディ１１の長手方向に実質的に垂直である。
【００６６】
可動圧力要素１５は、ボディ１１の中に収容され前記棒１７に接続された、所定の圧力で動作する空気圧装置１８によって駆動される。空気圧装置１８は、棒１７に接続されたプランジャ２０及び棒１７のもどりを保証するばね２１を含む単純効果ピストン（ｓｉｍｐｌｅ  ｅｆｆｅｃｔ  ｐｉｓｔｏｎ）１９を備える。このピストン１９には制御ユニット２２によって圧縮空気が導管２３を通して供給される。制御ユニット２２は前記所定の圧力の調節システムを備えている。
【００６７】
熱可塑性材料で実施することが有利な接続要素９の接着を活性化させるために、可動圧力要素１５はそのプレス面１６が加熱される。この目的のため可動圧力要素１５には、温度を決定する所定の電圧の電力が制御ユニット２２によって電線２５を介して供給されるサーミスタ２４が収容されている。前記制御ユニットはさらに、ボディ１１に位置する作動ボタン２６に応答して、ヘア・エクステンションＣと髪Ｔ（図６）の間の接続を実施する圧縮−加熱−圧縮解除サイクルの実行を決定するタイマを備えている。
【００６８】
したがって温度、圧力及び圧縮時間を設定した後は、後に明らかになるようにボタン２６の単なる作動が上記サイクル、すなわち一群のヘア・エクステンションＣの完全な接続の実行を決定する。
【００６９】
本発明の方法で使用するのに適したアプリケータの他の例が、ともに本発明と同じ発明者を指名した本発明の出願人のＷＯ０２／０９８２５０及びＷＯ０３／０６４１６に記載されている。
【００７０】
図５を参照する。アプリケータ１０は、伸長及び回動可能なアームを備えた３０で指示された適当な装置に取り付けることができる。アームからは、アプリケータ１０を支持する支持ケーブル３２が吊り下がっている。このケーブルは、オペレータにかかるアプリケータ１０の重量を事実上排除するカウンターウェイトシステムに接続されている。
【００７１】
装置３０は、前記制御ユニット２２を支持し、その全体が使用者の肘掛け椅子と向い合せに配置されるように車輪３４の上に取り付けられたベース３３を備えていると有利である。
【００７２】
先に説明したアセンブリ１に関して、髪のボリュームを増やすための方法は、図６から８を参照して説明する以下の適用ステップを含む。
【００７３】
前記方法及びこれまでの説明によれば、粘着テープ２の残部４を前記セクション３の上に折り畳むことができるように前記粘着テープ２のセクション３の粘着面４３に指定されたとおりに接着された対応するそれぞれの接続要素９を備えた対応するそれぞれの近位端７を有する複数のヘア・エクステンションＣが提供される。
【００７４】
この方法は、全ての髪が互いに平行に整列するように濃くする髪Ｔの部分Ｐをくしですくこと（コーミング）によって準備するステップを提案する。
【００７５】
続いて、前記方法は、折り畳まれた粘着テープ２の前記セクション３と前記残部４の間に濃くする髪Ｔの一部分を封入し、前記近位端７を受け取ることが意図された領域を決定する追加のステップを含む。
【００７６】
都合の良いことにテープの残部は髪の外面に接着される。すなわち頭部のほうを向いた粘着面４４と外面の非粘着面とを有するように接着される。
【００７７】
したがって、セクション３は前記髪部分の下に接着され、対応するそれぞれの粘着面４３はその髪部分の下にエクステンションの接続要素９を配置し、したがってこれを隠す。
【００７８】
セクション３の接着を残部の接着よりも先にすることができ、この段階では、コーミングによって部分Ｐの髪を整列したままに保つ必要がある。
【００７９】
このようにアセンブリ１は札入れの形状に閉じられる。この段階で、接続要素と一致しておりエクステンションＣが横断していない粘着テープ２の上縁を皮膚に載せ、それによって接続要素９を皮膚から等間隔に配置することができることに留意されたい。
【００８０】
さらに、エクステンションＣが横断している粘着テープ２の部分が濃くする髪Ｔの部分に巻きつき、その部分を固定された位置に保持し、前記コーミングによって与えられた方向を保つ。
【００８１】
フラップ４５の接着によって、セクション３と残部４の完全な重なりが保証される。接続要素９は髪部分Ｐによって隠されたままだが、接続要素９の位置は印刷された線４９によって決定することができる。
【００８２】
続いて、凹み４６を基準としてアプリケータ１０の固定要素１２を載置する。可動要素１５の向きは、前記印刷された線４９を基準として残部４に対して容易に定めることができる。
【００８３】
この段階で、前記ストリップ１と接続要素９とから実質的になる接続手段がオペレータによって活動化される。
【００８４】
この実施例では熱可塑性材料の融解特性が使用される。実際、粘着テープ１を介して接続要素９にエネルギーを適用することが提案される。図５を参照するとグリッパ・アプリケータ１０が使用される。固定要素１２及び可動要素１５は細長い形状を有し、実質的に均一な圧力を適用してその長さに沿ってテープ２全体を圧縮し、それによって接続要素９を圧縮することができる。
【００８５】
この文脈において、接続要素９にエネルギーを伝えるための代替システムを同様に使用することができる。
【００８６】
このシステムは、超音波周波数、例えば２０から６０ｋＨｚの振動の形態の機械エネルギーの使用を提案する。この場合、一方又は両方の圧力要素が振動体、例えば所望の周波数の交流電流を受けた圧電素子に接続され、それらはこれらの振動を接続要素９に直接に伝え同時にテープ１を通して伝える。
【００８７】
この場合、振動の適用は、接続要素９の熱可塑性材料の分子が、エクステンション６の個々の髪と髪Ｔの個々の髪との間を容易に流れてそれらに浸透しそれらを一体に接合することを可能にすることに留意されたい。
【００８８】
次に、本発明に基づくアセンブリの全ての実施例に適用可能な接続要素９の他の変更を説明する。
【００８９】
第１の変更は、接続要素が反応性ホットメルト接着剤と呼ばれる特定のホットメルト樹脂から作られることを包含する。このタイプの接着剤は当技術分野で知られており、水分が存在すると硬化する特徴を有する。
【００９０】
具体的にはこの接着剤の硬化は、空気中の水分によって、又は例えばエクステンションの適用前の洗髪に由来する接続先の髪の残留水分によって促進されうる。
【００９１】
髪の水分の存在は通常、髪への接着剤の適用に対する障害と見られるが、この場合は当てはまらないことを理解されたい。
【００９２】
他の変更は、両方の成分がホットメルト接着剤である２パック接着剤の使用を含む。前記成分は、同じ接続要素に組み込み、又はテープ２の対向する粘着面と向かい合わせに配置することができる。或いは、接続要素９の適用の前に一方の成分を粉末の形態で髪に噴霧することもできる。この場合には、もう一方の成分とともに実現される。エクステンションＣの適用の後、過剰な粉末はブラシで払えばよい。
【００９３】
説明中の実施例に戻る。アプリケータ１０はボタン２６を介して作動され、グリッパのように動作する要素１２、１５間に含まれるものの厚さによらない一定の圧力が、所定の長さの時間間隔の間、残部４に沿って均一に、すなわちそれぞれの上に等しく加えられ、接続要素９は髪に対する接続に変換される。
【００９４】
同じ方法に従ってこの適用を、オペレータが筋力を発揮する必要なしに無限回繰り返して常に同じの結果を得ることができることが提案される。
【００９５】
都合の良いことに、複数の粘着テープ２を適用し、次いで前記接続手段を短時間に順番に活動化させることができる。
【００９６】
加える圧力、圧力持続時間、加熱（温度）、加熱持続時間、振動周波数、振動強度、振動の持続時間などの操作パラメータを予め設定し制御ユニットに記憶しておくことができ、これらのパラメータを、エクステンション及び適用する接続要素の仕様に基づいて変更することができることが提案される。
【００９７】
この接続ステップの完了後、冷却の終りに接着剤を髪に残さずに粘着テープ２を除去すれば（図８）、適用は完了である。
【００９８】
この方法の特色をより強調するため、図９から１３を参照して接続手段の活動化ステップを詳細に説明する。
【００９９】
固定要素１２は、セクション３の下でセクション３に向き合うように操作され、残部４は支持面１３に接着される（図９）。
【０１００】
アプリケータ１０の圧縮−加熱サイクルが作動される。接続要素９がないテープ２を横断するこの熱と圧力の組合せは、髪Ｔの髪とエクステンションＣの髪との間に浸透した熱可塑性材料を融解する（図１０）。
【０１０１】
より具体的には（図１２）、接続要素９の位置を指示する前記手段のところに可動要素１５を配置すると、前記可動要素１５は自動的に正しい位置に配置される。
【０１０２】
この圧縮と加熱は、前記残部４に面した側から熱可塑性材料を融解して可動要素１５と固定要素１２の間に捕らえられた髪Ｔの間に浸透させる。
【０１０３】
このように熱可塑性材料は髪Ｔの間に移動する傾向があり、その位置はテープ２によって両面に閉じ込められ（図１３）、オペレータによって圧力が、テープ部分及び捕らえられた髪を通して均一に伝えられる。
【０１０４】
このプロセスは、熱可塑性材料がテープの片面で圧縮されることを防ぎ、普通なら目に見えてしまう凝固した熱可塑性材料の平面及び輝いた面の形成を妨げる（図１３）。
【０１０５】
圧力及び加熱を止めると熱可塑性材料はテープ２の間に閉じ込められたまま凝固する（図１１）。合理的な非常に短い冷却後にテープ２を除去することができるが、複数のアセンブリ１の適用を実施した後に全てのテープを除去することもできる。
【０１０６】
しかし、対応するそれぞれの髪に接続するエクステンションＣの能力に実質的な影響を及ぼすことなく、接続要素の寸法及び熱可塑性材料部分の寸法を自由に小さくすることができることが提案される。
【０１０７】
この記述から、圧力要素は２枚のテープの存在下で、接続の形成を可能にする材料を含むことを考慮して、ヘア・エクステンションのこの方法は、オペレータの側の操作を一切必要とせず、エクステンションと接続先の髪との間の非常に小さな寸法の接続の形成を可能にすることが提案される。結果として生じる接続は非常に繊細なものであり、申し分のない縁を有し、輝いた面がなく、ほとんど知覚できない。人間の手による唯一の干渉は接続を活動化するために使用する装置の操作に基づく。
【０１０８】
接続の寸法は、熱可塑性材料及びエクステンションの髪が頭髪を強制的に取り巻かなければならないことに基づかない。そうしなければならない場合には、そのボリュームをある限界よりも小さくすることができない接続点が生じる。例えば、先に引用した日本国特許ＪＰ０３１５２２０５（Ａｄｅｒａｎｓ  Ｃｏ．Ｌｔｄ．）では、頭髪の周りにエクステンションの髪を巻きつけなければならないという単純な事実自体がボリュームの大きい接続を生み出している。
【０１０９】
本発明によれば、接続点の寸法がもっぱら、エクステンションの中で圧縮される髪の量によって決まる。エクステンションが繊細であればあるほど接続も繊細になる。
【０１１０】
したがって操作をしないことが均一な接続の形成につながる。その最適な品質は例えば水の侵入などによる断線を防ぐ。
【０１１１】
このシステムを用いるとさらに、髪の中にエクステンションを隠すことができる。等間隔にエクステンションを適用することができるので、間に追加のエクステンションを適用することができ、それによって短時間で一貫したエクステンションを得ることができ、使用者の髪とは異なる色のエクステンションの混合によって複雑な色の濃淡（ハイライト）を生み出すことができる。
【０１１２】
図１４から１７を参照して、折畳み要素５０として識別される札入れ形状を有する相補ツールを備えた、前掲図のアセンブリ１を説明する。折畳み要素５０は、折畳み線５３又は折り目によって結合された一対の長方形のフラップ、具体的には第１のフラップ５１と第２のフラップ５２を備える。
【０１１３】
フラップ５１、５２が、ヘア・エクステンションＣの接続要素９を受け取るテープ・セクション３及びテープ・セクション３の上に閉じている残部４に接着するのに適するように、この折畳み要素は、剛体材料又は半可撓性材料、例えば成形が容易なプラスチック材料で実施される。この接着は支持及び剛性を提供し、テープ２を容易に操作することを可能にし、セクション３及び残部４が折れ曲がり不適当な点で接着する危険又はなんらかの誤った形状をとる危険がなくなる。
【０１１４】
接着を容易にするため、折畳み要素は、テープ２をフラップ５１、５２に固定するための手段を備える。前記固定手段はフラップ５１、５２の内面に配置された粘着ストリップ５４を含む。内面に関して、これらの面は、折畳み要素５０の折畳みによって互いにくっつくように適合されていることを意味する。
【０１１５】
前記粘着ストリップは、折畳み線５３から折畳み要素５０の外縁まで延びるように配置される。したがって、テープ２の折畳み線５を折畳み要素５０の折畳み線５３に合わせて配置することによってテープ２を折畳み要素５０に固定することができる。
【０１１６】
さらに、前記固定手段は折畳み線５３の端に位置する伸縮式のフック５５を備える。伸縮式フック５５は、テープ２が折畳み要素５０と係合する位置と、折畳み端５３の末端から離れる係合解除位置との間を移動することができる。
【０１１７】
この目的のため、それぞれの伸縮式フック５５は、折畳み要素５０の外側で折畳み線５３に結合されたスリーブ５７の中に滑動可能に配置されたステム５６を備える。ステム５６の自由端は指先で簡単に制御することができ、それによって伸縮式フック５５の位置を調節することができる（図１６）。
【０１１８】
それぞれのフック５５の機能は、折畳み線５、５３が重なるように折畳み要素上にテープ２を捕捉することである（図１７）。
【０１１９】
折畳み要素５０によってテープ２の部分が完全に封入される（図１７）ように、テープ２の幅が折畳み要素５０の幅に等しいか又はそれに近く、折畳み要素５０の長さが相対的に大きいと有利である。
【０１２０】
折畳み要素を用いる場合には（図１８）、髪のボリュームを増やすための方法が、折り畳まれた粘着テープ２の前記セクション３と前記残部４の間に濃くする髪Ｔの一部分を封入して、前記近位端７を受け取ることが意図された領域を決定する段階を含む。
【０１２１】
このステップでは、折畳み要素５０を使用して、髪Ｔの選択された部分にテープ２を正確に配置する。
【０１２２】
したがって、このケースでは、アセンブリ１が折畳み要素５０によって操られる限りにおいて、先に説明したアセンブリ１に折畳み要素５０を組み込むことが提案される。様々な段階、特にアセンブリの拡散の段階では折畳み要素５０を別個に取り扱うことができる。
【０１２３】
次に、図１９から２６を参照して、適用ステップを変更することなしに関連方法で使用することができる、髪のボリュームを増やすためのアセンブリの第２の実施例を開示する。これには、先行する実施例を参照して開示した全ての部分が存在し、これらは同じ参照番号によって指示される。
【０１２４】
前記接続要素９を受け取るテープ２のセクション３及び折り畳むことが意図されたセクションは、後に説明する適用ステップの間に前記接続要素９と接触することが意図された面を有する。
【０１２５】
この実施例では粘着面４３、４４で識別される、任意選択で折り畳まれたテープ２の残部の接触領域に閉じ込められるこれらの面が、粘着面上に散らされた繊維であるけばの薄層によって覆われている。
【０１２６】
様々なタイプの繊維を使用することができる。後に説明する方法で接続要素の面をビロードのような手触りにすることができる天然繊維が好ましい。もちろん、好ましい色はエクステンションの髪の色と同じ色である。
【０１２７】
このけばの層は様々な保持方法、例えば静電型の方法又は吹付け法で形成することができる。容易にするため、テープの粘着面全体をけばを保持するのと同じ接着剤でできるが、けばの位置に接続要素も保持するなど接着力を維持する。
【０１２８】
アセンブリ１の適用では、テープ２の２つの部分３、４が、接続要素９の両面に対する前記けば層の緊密な接触を決定する。
【０１２９】
接続要素９の一時的な制御された融解、及びそれに対する圧力の発揮は、テープ２の面が接続要素９の上面及び下面と接触し、接続要素９が半分融解した層の中にあるこの段階で、接続要素９がその面に部分的に埋まったけばの層を受け取ることを意味する。これによって接続要素９は軟らかくなり、ビロードのような手触りを持ち、実質的に不透明となり、髪と同じ色となる。
【０１３０】
この効果は、それぞれの接続要素を髪Ｔに効果的にとけ込ませる。さらに人工光又は自然光が直接に投射された場合、接続要素は髪が反射するほどには光を反射しない。
【０１３１】
折り畳まれたテープの使用によって接続要素の両面をビロードのようにすることができることが提案される。ただし他の実施例では、けばで選択的に覆われたテープを使用して露出した上面をビロードのようにすることもできる。
【０１３２】
けばはストリップの粘着面でのフロック加工によって形成することができるが、接着剤に混入することもできる。又は、けばをテープによりしっかりと固定するために保持に続いて別の接着剤層で覆うこともできる。
【０１３３】
ヘア・エクステンションの適用に対する満足感は、濃くする人工毛髪が実質的に目に見えないことにかかっていることを考慮すれば、この満足感は、加える髪と使用者の髪の間の類似性によって実現されるが、とりわけ接続要素を髪にとけ込ませることによって実現される。
【０１３４】
この目的のため、先行する実施例の１つの変更は、前記接続要素９を受け取るテープ２のセクション３及び折り畳むことが意図されたセクションが、後に説明する適用ステップで前記接続要素９と接触することが意図された面を有することを提案する。
【０１３５】
この実施例では粘着面４３、４４と識別され、任意選択で接触領域に閉じ込められるこれらの面が折り目を有する。
【０１３６】
具体的には、前記面が、テープ２をきらきらしないむしろ光沢のないものにするような表面粗さを有する。このような粗さは以下の３つの方法によって得ることができる。
＊例えばサンディング（ｓａｎｄｉｎｇ）を用いて実施可能な機械的腐食による方法
＊例えば酸浴を用いこれにテープを浸すことで実施可能な化学的腐食による方法
＊研磨パッドを用いこれをテープ面にこすりつけることで実施可能な研磨による方法
【０１３７】
さらに、前記面は、先に述べた折り目よりも大きな表面寸法の第２のタイプの折り目を有する。前記第２のタイプの折り目では、テープ面が、個々の髪の直径に類似した横断寸法及びエクステンションＣの髪のそれに平行な方向の複数のリブ及びみぞを備える。
【０１３８】
このようなリブ及びみぞは３つの方法によってテープ面に新しく生み出すことができる。
＊適当な型を用いて実施される押出し成形による方法
＊適応シルクスクリーン・パッド及びこのパッドを通して適用される腐食剤を用いて実施可能な化学エッチングによる方法
＊適当な研磨手段又は表面エッチング手段を用いたテープ材料の整列したストリップの機械的除去による方法
【０１３９】
その活動化の間に（表面粗さによる）光沢のない面又は（リブ及びみぞによる）髪ととけ合うみぞの付いた表面を接続要素に与えるために、これらの両方の類型の折り目をテープ２の面上で別々に採用することができることが提案される。
【０１４０】
さらに、前記類型を採用して、上記の両方の効果を接続要素に同時に与えることができることが提案される。
【０１４１】
接続要素９の一時的な制御された融解及びそれに対する圧力の発揮は、テープ２の面が接続要素９の上面及び下面と接触することを意味する。
【０１４２】
テープ２の面の折り目は、接続要素９の対向する面に押しつけられ、これによって接続要素９は髪の感覚において、表面粗さの効果によって光沢を失い、リブ及びみぞの効果によって縞になる。
【０１４３】
これらの効果はそれぞれの接続要素と髪Ｔとの有効なとけ込みを決定する。これらの効果は組み合わせると有利である。さらに人工光又は自然光が直接に投射された場合、接続要素は髪が反射するほどには光を反射しない。
【０１４４】
これらの効果は、先に説明したけばの適用に代わることができ、又はけばの適用と組み合わせることができる。
【０１４５】
次に、図２７から３２を参照して、先に説明した実施例に類似し同じ発明の概念を特徴とする、髪のボリュームを増やすための本発明に基づくアセンブリの第３の実施例及び関連方法の実施例を説明する。
【０１４６】
先に説明した構成要素に類似した構成要素は同じ参照番号によって指示される。
【０１４７】
全体が１で指示される前記アセンブリは、例えばロール１０３の形態で提供される第１の粘着テープ１０２を含む。髪を濃くする方法において濃くする髪に適用することが意図された第１の粘着テープ１０２は実質的に透明であることが好ましい。ただし透明でなければならないというわけではない。したがって透明であると、適用ステップ及び達成された効果を、適用後の第１のテープ１０２に対してもよりはっきりと追跡することができる。
【０１４８】
先に説明した理由から粘着テープ１０２を形成する材料は耐熱性であることが好ましい。ただし耐熱性でなければならないというわけではない。テープ２に使用される接着剤は、圧力を加えると機能する非永続性のリバーシブル・タイプの接着剤であり、この接着剤はテープ２の単一の粘着面上に置かれる。この実施例ではその上、使用される接着剤が、圧力を加えると機能する非永続性のリバーシブル・タイプの接着剤であり、第１のテープ１０２の単一の粘着面上に置かれる。
【０１４９】
アセンブリ１は、この実施例では前記テープに実質的に類似した第２の粘着テープ１０４を含む。第２の粘着テープ１０４は透明であることが好ましく、前記テープと同様に耐熱性の材料でできており、粘着面１０５を有する。
【０１５０】
図１を参照すると、複数６のヘア・エクステンションＣが記載されている。これは適当に選択された均一な又は濃淡のある色を有する、天然又は人工の実質的に前もって決められた量の髪を含む。
【０１５１】
さらにこのアセンブリ１は、様々な太さ、長さ及び色のエクステンションＣを含むことができる。エクステンションは一般に、髪に接続することが意図された対応するそれぞれの近位端７から遠位の自由端８まで延びている。それぞれのエクステンションＣにおいて、対応するそれぞれの髪の長さは均一であることが好ましい。
【０１５２】
それぞれのエクステンションＣは前記近位端７に、この実施例によればポリアミド、ポリエステル、ポリウレタンなどの熱可塑性材料、例えばナイロンでできた接続要素９を含む。この要素は先に説明した要素と全てにおいて類似しており、任意選択で変更が含まれる。
【０１５３】
それぞれの近位端７及びそれぞれの接続要素９は、粘着テープ１０４の粘着面１０５の上に配置されている。接続要素９はほぼ等間隔であり、テープ１０４の中央に置かれている。隣接するエクステンションＣの髪がからみ合わないように、エクステンションＣは互いに平行に整列されている。
【０１５４】
図２７を参照すると、アセンブリ１は任意選択でさらに支持テープＳを含む。このテープは、粘着テープ１から容易にはがすことができる材料、例えばシリコーン・コーティングされた紙又はプラスチックなどから作られ、粘着テープが折り畳まれ、カールし、貼りつくことがないよう粘着面１０４及び接続要素９を保護するために配置される。
【０１５５】
前記粘着面１０５に使用される接着剤は、接続要素９の材料に対して生み出される接着力よりも大きな接着力を第２のテープ１０４に対して発揮し、そのため、適用終了後に接続要素９に接着剤を残さない。
【０１５６】
任意選択で、第２の粘着テープ１０４は不定の長さを有することができ、オペレータはセクションをカットして所望の数のエクステンション６を選択することができる。第１の粘着テープ１０２に対しても同じことを言うことができる。第１の粘着テープ１０２は、後に明らかにするとおり、第２のテープ１０４の対応するセクションと実質的に等しい長さのセクションにカットすることができる。
【０１５７】
この準備技法では、第２のテープ１０４が、対応するそれぞれの粘着面１０５にすでに接着されたヘア・エクステンションＣの近位端７を有することが提案される。ただし、様々な太さ、長さ、色などを有するエクステンションを別々に提供する解決法も可能である。
【０１５８】
この場合、エクステンションをすぐに選択し、第２のテープ１０４に配置することができる。任意選択で位置決め手段を用いることができる。この手段は、テープ１０４上に達成されたマーク又は凹み、或いは透明なテープ１０４を支持して案内付きの方法でエクステンションを配置するために配置されるステンシルを含むことができる。エクステンションの太さ及び幅に応じてサイズ決定された接続要素９のサイズに適合したサイズのマーク及びトレースを提供することができる。これらのマーク又はトレースはさらに隣接したエクステンションを分離するピッチである位置決め密度を示唆することができる。
【０１５９】
これらの変更については後に詳述する。図２９を参照すると、ミニ・エクステンションと呼ばれる、個々のヘア・エクステンションＣに代えてグループとして使用することができる非常に細いエクステンションＣ′の配置の一例が提案されている。
【０１６０】
先に記載した濃密化キット１に関して、髪を濃くするための方法は、図３０から３２を参照して説明する以下の適用段階を含む。
【０１６１】
前記方法及びこれまでの説明によれば、前記第２の粘着テープ１０４の粘着面に指定されたとおりに接着された対応するそれぞれの接続要素９を備えた対応するそれぞれの近位端７を有する複数のエクステンションＣが提供される。
【０１６２】
その代わりに、濃くする髪Ｔの前記近位端７を受け取るように設計された領域に前記第１の粘着テープ１０２を接着させる。
【０１６３】
第１のテープ１０２は髪の外面に適用される。すなわち頭部のほうを向いた粘着面と外面の非粘着面とを有するように適用される（図３０）。この操作は分かりやすくするために実施することができる。しかし、第１のテープ１０２を髪Ｔに挿入して、髪の内側から前記領域に接着することができ、こうすると第１のテープ１０２の粘着面は外面、すなわち頭部とは反対のほうを向く。
【０１６４】
続いて、第２のテープ１０４をアプリケータ１０の固定要素１２に取り付け、又は髪Ｔが前記第１のテープ１０２にある限りにおいて髪Ｔに直接に取り付ける。テープ１０２、１０４が透明であることによって、接続の前に、濃くする髪Ｔに対して生み出される効果をチェックすることができる。使用者も鏡によってこの効果をチェックすることができる。
【０１６５】
続いて、テープ１０２、１０４したがってエクステンション６の位置を決定し、長さ、形状、太さ及び色に関する選択が適切かどうかを判定した後、接続要素９を使用者の髪に接続する次のステップを実施する。この段階で、前記テープ１０２と接続要素９とから実質的になる接続手段がオペレータによって活動化される。
【０１６６】
この実施例では熱可塑性材料の融解特性が使用される。実際、粘着テープ１０２を介して接続要素９にエネルギーを適用することが提案される。図４を参照するとグリッパ・アプリケータ１０が使用される。固定要素１２及び可動要素１５は細長い形状を有し、実質的に均一な圧力を適用してその長さに沿ってテープ１０２、１０４を圧縮し、それによって接続要素９を圧縮することができる。
【０１６７】
同じ方法に従ってこの適用を、オペレータが筋力を発揮する必要なしに無限回繰り返して常に同じの結果を得ることができることが提案される。
【０１６８】
加えられる圧力、圧力持続時間、加熱（温度）、加熱持続時間、振動周波数、振動強度、振動の持続時間などの操作パラメータを予め設定し制御ユニットに記憶しておくことができ、これらのパラメータを、エクステンション及び適用する接続要素の仕様に基づいて変更することができることが提案される。
【０１６９】
この接続ステップの完了後、冷却の終りに接着剤を髪に残さずに両方の粘着テープ１０２、１０４を除去すれば（図３２）操作は完了である。
【０１７０】
ヘア・エクステンションＣの近位端７を支持する前記第２の粘着テープ１０４を、図３３から４４を参照して説明する様々な変更に置き換えることができる。
【０１７１】
この変更では２０４で指示された前記第１の支持テープが、ヘア・エクステンションＣの１つ又は複数の近位端７をそれぞれが含む支持テープ２０２の相補部分を実施するためのものなどの、前記支持テープ２０２に形成された選択的引裂き線（ｐｒｅｆｅｒｅｎｔｉａｌ  ｔｅａｒｉｎｇ  ｌｉｎｅ）２０８を有する。
【０１７２】
具体的にはこの実施例では、特に図示されていない支持テープＳによって支持テープ２０４の連続性が保証されているときに、いくつかの方法で実施することができる選択的引裂き線２０８が含まれる。前記方法の中では、刻み込まれた点線、穿孔のあいた線、スリットが挙げられる。
【０１７３】
この実施例では、線２０８が実質的にフレット又はコイル形の経路に従い、そのためテープ２０２の相補部分が、交互のヘア・エクステンションＣの近位端７及び対応するそれぞれの接続要素９を受け取る。
【０１７４】
２つの相補部分を分離することによって、長手方向に延び、エッジ・バンド２１１によって接合された接続要素９の支持領域２１０を有する半要素２０９からなる小型化されたアセンブリが得られる。半要素２１０が、エクステンションＣを横切って配置されたエッジ・バンド２１１を含み、もう一方の半要素２１０がエクステンションＣの反対側にエッジ・バンド１１を含むことが提案される。
【０１７５】
図３６及び３７に前述のアセンブリ１の使用法を示す。第１の色を特徴とするいくつかのエクステンションＣを支持した第１の半要素２０９ａが、第２の色を特徴とするいくつかのエクステンションＣを支持した相補的な第２の半要素２０９ｂに結合されている。
【０１７６】
この２つの半要素が重なることによって、異なる色のエクステンションＣが交互に配置された前記第３の実施例に関して説明したアセンブリ１が形成される。エクステンションのこのアセンブリに付随する使用の柔軟性は容易に理解される。
【０１７７】
対応するそれぞれの粘着面２０５の接着を利用して構造的に結合されたテープを有するアセンブリを再現するために、前記重なりは、２つの半要素２０９ａ、２０９ｂの縁を並べて置くか、又は前記縁の１つの縁を重ねるかによって実施することができる。
【０１７８】
エクステンションの分離を容易にするため、選択的引裂き線８は、エクステンションＣと向き合うループにスリットを有し、エクステンションＣの反対側を向いたループに接続セクションを有する。したがって、エクステンションと向き合う部分の半要素２０９を分離することはより容易であり、後者の分離を容易にする。
【０１７９】
図３８を参照する。他の変更は、それぞれの個々の接続要素９を分離する第２のテープ２０４を端から端まで横断する（支持テープＳの存在下で全体として等価の）複数の選択的引裂き線又は単なる分離線２８１を含む。個々の部分の組立てを容易にするため、それぞれの選択的引裂き線２８１は基準インデント２８２を含む。
【０１８０】
図３９を参照する。他の変更は、前の変更の選択的引裂き線に全体に類似した選択的引裂き線２８１を提案する。テープ２０４はさらにそれぞれの部分が視覚的位置基準２８４を備える。これはテープ２０４に印刷された別の小さなマーク点である。この基準は、前記基準インデント２８２の機能に代わるものである。
【０１８１】
図４０を参照する。他の変更は、それによってエクステンションＣをセットで混合することを可能にする、それぞれの選択的引裂き線２８１間のエクステンションＣの分離したいくつかの接続要素９を提案する。
【０１８２】
最後の変更によれば、アセンブリ１の第３の実施例の前述の第２の粘着テープ１０４として機能するテープ３０４のセクションを以下のように準備することができる（図４１から４４）。
【０１８３】
オペレータによって粘着テープ３０４のセクションがカットされ、対応するそれぞれの粘着面３０５が露出される。前記粘着面３０５は、先に指定したとおり、ヘア・エクステンションＣの対応するそれぞれの接続要素９である前記近位端７を接着した状態に受け取るのに適している。
【０１８４】
この目的のため、前記近位端７は、この変更では位置インジケータ３１０からなる位置決め手段に従って、前記粘着面３０５に接着される。この実施例では、粘着テープ３０４上に、それぞれが異なる形状のインジケータを有する３つのインジケータ列が提供される。具体的には、第１の列が大サイズの接続要素９用の位置インジケータ３１０を含み、第２の列が中間サイズの接続要素９用の位置インジケータ３１０を含み、第３の列が小サイズの接続要素９用の位置インジケータ３１０を含む。
【０１８５】
列ごとに、エクステンションＣのサイズ、すなわち対応するそれぞれの接続要素９のサイズに従って変化するエクステンションＣの適用密度が提案される。
具体的には、接続要素のサイズを小さくすることによって、同じ列の隣接する位置指示計３１０間のピッチを小さくする。
【０１８６】
しかし、結果として生じる間隔は提案のものであり、オペレータは前記列の１つを使用して、粘着テープ３０４上でエクステンションＣを正確に整列させることができることを理解されたい。対応するそれぞれのインジケータ３１０に要素９を接着させたときに、同じテープ３０４に置かれたエクステンションＣの実質的な平行が自動的に達成されるよう、位置インジケータ３１０は、対応するそれぞれの接続要素９の形状に似た形状、例えば長方形−長方形の形状を有する。
【０１８７】
しかし、前記位置インジケータは、接続要素９を有する近位端７の位置決め手段を提供する非限定的な例であることを理解されたい。
【０１８８】
他の例は、テープ３０４に形成された、設計された接続要素９の形状と等しい形状のスリット又は凹みによって代表される。他の例は、テープ３０４の下に配置することができる位置決めトレースを有するステンシルからなる。このトレースは透明なテープの下で、任意選択でバックライト付きの面の助けを借りて目に見える。
【０１８９】
全ての場合に、所望の形状、長さ、太さ及び色のエクステンションを選択するオペレータは、これらの事前段階を容易且つ迅速に実施することができる方法を知ることができ、最も様々な効果を得ることができる。
【０１９０】
前述の方法及びその変更は全て、使用される熱可塑性材料、活動化のために使用されるエネルギーの量を低減させ、熱の損失及び機器又は接続装置の汚染を引き起こさない。
【０１９１】
さらに、理解できるように、以上に述べた髪のボリュームを増やすための方法、及び関連エクステンション・アセンブリは、多数の適用バリエーションを使用できるため、プロのオペレータがその想像力を最大限に使用することを可能にする。
【０１９２】
特に２枚のテープの使用に関して、以下の有利な操作結果が達成される。
ａ）分離後、使用者の髪は、テープによって固定された位置に保持され、したがってグリッパ・アプリケータの操作がより容易になり、髪とエクステンションが互いに交差することが回避される。
ｂ）前記札入れ形状に封入されることによって使用者の髪が熱から保護される。
ｃ）熱可塑性材料が２枚のテープ又はフィルムの間に封入され、したがって熱可塑性材料は閉じ込められた状態から逃れることができず、他の髪を巻き込むことなく接続先の髪をより良好に捕らえことができる。
ｄ）融解し凝固した接続要素の表面は実質的に知覚できない。この接続の品質は、熱可塑性材料によって実質的に密封された接続の髪の間に水が侵入することを防ぐ。
ｅ）熱可塑性材料の流出を防ぐテープがグリッパの汚染を防止する。
ｆ）熱可塑性材料の冷却の終りまでテープを接着した状態に保持することができ、冷却の間に別の接続を妨げないので時間を節約できる。
ｇ）テープはコーミングした状態を固定し、したがってより正確になる。
【０１９３】
以上に述べた方法は、対応するそれぞれのテープに接着させるエクステンションの数に限定されない。数は１から変化させることができる。
【０１９４】
以上に述べた髪のボリュームを増やすための方法及び関連アセンブリに対して、他の付随的な必要性を満たすために当業者は、添付の請求項によって定義された本発明の保護範囲に含まれる他のいくつかの変更及び変形を実施することができる。
【図面の簡単な説明】
【０１９５】
【図１】髪のボリュームを増やすための本発明に基づくアセンブリの第１の実施例の組立て段階を示す透視図である。
【図２】１つの側から見た図１のアセンブリの透視図である。
【図３】別の側から見た図１のアセンブリの透視図である。
【図４】髪のボリュームを増やすための本発明に基づく方法に特に適した、エクステンションの髪を適用するためのグリッパ・アプリケータの透視図／部分断面図である。
【図５】髪のボリュームを増やすための本発明に基づく方法に特に適した、エクステンションの髪を適用するためのグリッパ・アプリケータ及び対応する支持ベースを示す図である。
【図６】図１のアセンブリの前記第１の実施例を用いて実施される本発明に基づく方法の一段階を透視図を使用して概略的に示す図である。
【図７】図１のアセンブリの前記第１の実施例を用いて実施される本発明に基づく方法の一段階を透視図を使用して概略的に示す図である。
【図８】図１のアセンブリの前記第１の実施例を用いて実施される本発明に基づく方法の一段階を透視図を使用して概略的に示す図である。
【図９】図１のアセンブリを用いた本発明に基づく方法の一段階の間の図４のアプリケータの細部の断面図である。
【図１０】図１のアセンブリを用いた本発明に基づく方法の一段階の間の図４のアプリケータの細部の断面図である。
【図１１】図１のアセンブリを用いた本発明に基づく方法の一段階の間の図４のアプリケータの細部の断面図である。
【図１２】図１のアセンブリを用いた本発明に基づく方法の一段階の間の図４のアプリケータの細部の長手方向拡大断面図である。
【図１３】図１のアセンブリを用いた本発明に基づく方法の一段階の間の図４のアプリケータの細部の長手方向拡大断面図である。
【図１４】適用キット中に適用装置を有する前記第１の実施例に基づくアセンブリの部分分解透視図である。
【図１５】完全に組み立てられた図１４のキットの透視図である。
【図１６】図１５のキットの細部の断面図である。
【図１７】異なる外形の図１４のキットの透視図である。
【図１８】図１４のキットを使用したヘア・エクステンションの適用の一段階を透視図を使用して概略的に示す図である。
【図１９】髪のボリュームを増やすための本発明に基づくアセンブリの第２の実施例を組み立てる段階を示す透視図である。
【図２０】図１９のアセンブリの細部を拡大した透視図を使用して示す図である。
【図２１】図１９のアセンブリの詳細をさらに拡大した透視図を使用して示す図である。
【図２２】１つの側から見た図１９のアセンブリの透視図である。
【図２３】別の側から見た図１９のアセンブリの透視図である。
【図２４】図１９のアセンブリを用いてヘア・エクステンションを適用する一段階を、特定の細部について拡大した透視図を使用して概略的に示す図である。
【図２５】図１９のアセンブリを用いてヘア・エクステンションを適用する一段階を、特定の細部についてさらに拡大した透視図を使用して概略的に示す図である。
【図２６】図１９のアセンブリを用いてヘア・エクステンションを適用する一段階を、特定の細部についてさらに拡大した透視図を使用して概略的に示す図である。
【図２７】髪のボリュームを増やすための本発明に基づくアセンブリの第３の実施例を組み立てる段階を示す透視図である。
【図２８】図２７のアセンブリの細部の透視図である。
【図２９】図２７のアセンブリ並びに図１及び１９のアセンブリに適用可能な変更の透視図である。
【図３０】図２７のアセンブリの前記第１の実施例を用いて実施される本発明に基づく方法の一段階を透視図を使用して概略的に示す図である。
【図３１】図２７のアセンブリの前記第１の実施例を用いて実施される本発明に基づく方法の一段階を透視図を使用して概略的に示す図である。
【図３２】図２７のアセンブリの前記第１の実施例を用いて実施される本発明に基づく方法の一段階を透視図を使用して概略的に示す図である。
【図３３】図２８の細部の変更された実施態様を透視図を使用して示す図である。
【図３４】図２８の細部の変更された実施態様を透視図を使用して示す図である。
【図３５】図２８の細部の変更された実施態様を透視図を使用して示す図である。
【図３６】図２８の細部の変更された実施態様を透視図を使用して示す図である。
【図３７】図２８の細部の変更された実施態様を透視図を使用して示す図である。
【図３８】図２８の細部の変更された他の異なる実施態様を透視図を使用して示す図である。
【図３９】図２８の細部の変更された他の異なる実施態様を透視図を使用して示す図である。
【図４０】図２８の細部の変更された他の異なる実施態様を透視図を使用して示す図である。
【図４１】図２８の細部の他の変更の組立てを透視図を使用して示す図である。
【図４２】図２８の細部の他の変更の組立てを透視図を使用して示す図である。
【図４３】図２８の細部の他の変更の組立てを透視図を使用して示す図である。
【図４４】図２８の細部の他の変更の組立てを透視図を使用して示す図である。
【図１】
2005539159.tif 000003
【図２】
2005539159.tif 000004
【図３】
2005539159.tif 000005
【図４】
2005539159.tif 000006
【図５】
2005539159.tif 000007
【図６】
2005539159.tif 000008
【図７】
2005539159.tif 000009
【図８】
2005539159.tif 000010
【図９】
2005539159.tif 000011
【図１０】
2005539159.tif 000012
【図１１】
2005539159.tif 000013
【図１２】
2005539159.tif 000014
【図１３】
2005539159.tif 000015
【図１４】
2005539159.tif 000016
【図１５】
2005539159.tif 000017
【図１６】
2005539159.tif 000018
【図１７】
2005539159.tif 000019
【図１８】
2005539159.tif 000020
2005539159.tif 000021
【図２２】
2005539159.tif 000022
【図２３】
2005539159.tif 000023
【図２７】
2005539159.tif 000024
【図２４】
2005539159.tif 000025
【図２５】
2005539159.tif 000026
【図２６】
2005539159.tif 000027
【図２８】
2005539159.tif 000028
【図２９】
2005539159.tif 000029
【図３０】
2005539159.tif 000030
【図３１】
2005539159.tif 000031
【図３２】
2005539159.tif 000032
【図３３】
2005539159.tif 000033
【図３４】
2005539159.tif 000034
【図３５】
2005539159.tif 000035
【図３６】
2005539159.tif 000036
【図３７】
2005539159.tif 000037
【図３８】
2005539159.tif 000038
【図３９】
2005539159.tif 000039
【図４０】
2005539159.tif 000040
【図４１】
2005539159.tif 000041
【図４２】
2005539159.tif 000042
【図４３】
2005539159.tif 000043
【図４４】
2005539159.tif 000044
【手続補正書】
【提出日】平成16年2月25日(2004.2.25)
【手続補正１】
【補正対象書類名】特許請求の範囲
【補正対象項目名】全文
【補正方法】変更
【補正の内容】
【特許請求の範囲】
【請求項１】
濃くし且つ／又は長くすることによって髪のボリュームを増やすための方法であって、
＊対応するそれぞれの接続要素（９）を備えた対応するそれぞれの近位端（７）を有する１つ又は複数のヘア・エクステンション（Ｃ）を提供するステップと、
＊第１の粘着テープ（４；１０２）を提供し、それを、濃くする髪（Ｔ）の前記近位端（７）を受け取ることが意図された領域に接着させるステップと、
＊粘着面（４３；１０５；２０５；３０５）を有する第２の粘着テープ（３；１０４；２０４；３０４）を提供し、前記粘着面に、前記ヘア・エクステンション（Ｃ）の前記近位端（７）を接着させるステップと、
＊濃くする髪の前記第１の粘着テープ（４；１０２）があるところに、前記粘着面（４３；１０５；２０５；３０５）を接着させるステップと、
＊前記ヘア・エクステンション（Ｃ）の前記接続要素（９）に対して作用する接続手段を活動化させるステップと
を含む方法。
【請求項２】
濃くし且つ／又は長くすることによって髪のボリュームを増やすための方法であって、
＊対応するそれぞれの接続要素（９）を有する対応するそれぞれの近位端（７）を備えた１つ又は複数のヘア・エクステンション（Ｃ）を提供するステップと、
＊粘着テープ（２）を提供し、前記粘着テープのセクション（３）の粘着面（４３）に所定の配置に従って前記近位端（７）を、前記セクション（３）の上に前記粘着テープの残部（４）を折り畳むことができるように配置するステップと、
＊折り畳まれた粘着テープ（２）の前記セクション（３）と前記残部（４）の間に濃くする髪の一部分を封入して、前記近位端（７）を受け取ることが意図された領域を決定するステップと、
＊前記ヘア・エクステンション（Ｃ）の前記接続要素（９）に対して作用する接続手段を活動化させるステップと
を含む方法。
【請求項３】
前記接続要素（９）が熱可塑性材料を含む、請求項１又は２に記載の方法。
【請求項４】
前記接続手段がエネルギーの適用によって活動化される、請求項１又は２に記載の方法。
【請求項５】
熱が加えられる、請求項４に記載の方法。
【請求項６】
実質的に超音波の周波数を有する振動の形態の機械エネルギーが加えられる、請求項４に記載の方法。
【請求項７】
前記エネルギーが、前記テープ（４；１０２、３；１０４；２０４；３０４）の全長に沿って均一に圧力を加える、実質的に細長い、固定要素（１２）と可動圧力要素（１５）とを備えたグリッパ・アプリケータ（１０）によって加えられる、請求項４に記載の方法。
【請求項８】
前記近位端（７）が等間隔である、請求項１又は２に記載の方法。
【請求項９】
前記粘着テープ（４；１０２、３；１０４；２０４；３０４）（２）が透明である、請求項１又は２に記載の方法。
【請求項１０】
前記熱可塑性材料が凝固した後に前記粘着テープ（４；１０２、３；１０４；２０４；３０４）の除去を提供する、請求項１又は２に記載の方法。
【請求項１１】
粘着テープ（２）の前記残部（４）が、濃くする前記髪（Ｔ）の外面に接着され、対応するそれぞれの粘着面（４４）が頭部のほうを向く、請求項２に記載の方法。
【請求項１２】
前記近位端（７）の位置決め手段（３１０）を設計された前記粘着面（３０５）に提供して、前記位置決め手段（３１０）に従って前記近位端（７）を前記粘着面（３０５）に接着させるステップを含む、請求項１又は２に記載の方法。
【請求項１３】
前記位置決め手段が、前記粘着テープ（３０４）に関連づけられた複数の位置インジケータ（３１０）を含む、請求項１２に記載の方法。
【請求項１４】
前記位置決め手段が、対応するそれぞれの設計された前記接続要素（９）の寸法に関して異なる形状のインジケータをそれぞれが有する位置インジケータ（３１０）の複数の列を含む、請求項１３に記載の方法。
【請求項１５】
列ごとに、対応するそれぞれの設計された前記接続要素（９）のサイズに従って変化する前記ヘア・エクステンション（Ｃ）の適用密度が提案される、請求項１４に記載の方法。
【請求項１６】
前記接続要素（９）のサイズを小さくすることによって同じ列の隣接した位置インジケータ（３１０）間のピッチを小さくする、請求項１５に記載の方法。
【請求項１７】
前記位置インジケータ（３１０）が対応するそれぞれの前記接続要素（９）の形状に似た形状を有し、そのため対応するそれぞれの前記インジケータ（３１０）に前記接続要素（９）を接着させると、同じ粘着テープ（３０５）に置かれた前記ヘア・エクステンション（Ｃ）の実質的な平行が自動的に達成される、請求項１３に記載の方法。
【請求項１８】
前記位置インジケータ（３１０）が前記粘着テープ（３０５）上にトレースされる、請求項１３に記載の方法。
【請求項１９】
前記位置決め手段が、前記粘着テープ（３０５）の下に位置する位置決めトレースを有するステンシルを含む、請求項１に記載の方法。
【請求項２０】
前記粘着テープ・セクション（３）及び前記残部（４）が対応するそれぞれのフラップ（５１、５２）に接着するように折畳み線（５３）によって結合された一対のフラップ（５１、５２）を有する折畳み要素（５０）を配置するステップと、折り畳まれた粘着テープ（２）の前記セクション（３）と前記残部（４）の間に濃くする髪（Ｔ）の一部分を封入して、前記近位端（７）を受け取るように設計された領域を前記折畳み要素（５０）の助けを借りて選び出すステップとを含み、前記折畳み要素（５０）が前記髪（Ｔ）の前記部分から除去することが意図されている、請求項２に記載の方法。
【請求項２１】
前記接続要素（９）と接触することが意図された前記粘着テープ（３、４；１０２；１０４；２０４；３０４）の面（４３、４４；１０２；１０５；２０５；３０５）が実質的に折り目を持ち、且つ／又は著しい表面粗さを有する、請求項１又は２に記載の方法。
【請求項２２】
前記面（４３、４４；１０２；１０５；２０５；３０５）が、前記粘着テープ（３、４；１０２；１０４；２０４；３０４）、したがって適用された前記接続要素（９）を光沢のないものにするような表面粗さを有する、請求項２１に記載の方法。
【請求項２３】
前記粗さが４つの方法のうちの１つ、すなわち適当なグレージングによる方法、例えばサンディングを用いて実施可能な機械的腐食による方法、例えば酸浴を用いこれに前記テープを浸すことで実施可能な化学的腐食による方法、又は研磨パッドを用いこれを前記テープ面にこすりつけることで実施可能な研磨による方法に従って達成される、請求項２２に記載の方法。
【請求項２４】
前記面（４３、４４；１０２；１０５；２０５；３０５）が、個々の髪の直径に類似した横断寸法及び前記ヘア・エクステンション（Ｃ）の髪の方向に平行な方向の複数のリブ及びみぞを有する、請求項２１及び２２のうちの一項に記載の方法。
【請求項２５】
前記リブ及びみぞが４つの方法、すなわち適当なグレージングによる方法、適当な型を用いて実施される押出し成形による方法、適応シルクスクリーン・パッド及び前記パッドを通して適用される腐食剤を用いて実施可能な化学エッチングによる方法、及び適当な研摩手段又は表面エッチング手段を用いたテープ材料の整列したストリップの機械的除去による方法、のうちの１つによって前記テープ面（４３、４４；１０２；１０５；２０５；３０５）上に新しく生み出される、請求項２４に記載の方法。
【請求項２６】
前記面（４３、４４；１０２；１０５；２０５；３０５）が、前記粘着テープ（３、４；１０２；１０４；２０４；３０４）、したがって適用された前記接続要素（９）を光沢のないものにするような表面粗さを有し、且つ個々の髪の直径に類似した横断寸法及び前記ヘア・エクステンション（Ｃ）の髪の方向に平行な方向の複数のリブ及びみぞを有する、請求項２２及び２４に記載の方法。
【請求項２７】
前記接続要素（９）と接触するように設計された粘着テープ（４３、４４；１０２；１０５；２０５；３０５）の面（３、４；１０２；１０４；２０４；３０４）が実質的にけばで覆われている、請求項１又は２に記載の方法。
【請求項２８】
前記けばがフロック加工によって付着される、請求項２７に記載の方法。
【請求項２９】
前記フロック加工は静電型である、請求項２８に記載の方法。
【請求項３０】
前記けばが、対応するそれぞれの前記粘着面（４３、４４；１０２；１０５；２０５；３０５）によって前記テープ（３、４；１０２；１０４；２０４；３０４）上に保持される、請求項２８に記載の方法。
【請求項３１】
前記けばが、前記粘着面（４３、４４；１０２；１０５；２０５；３０５）の前記接着剤に混入される、請求項２７に記載の方法。
【請求項３２】
複数のヘア・エクステンション（Ｃ）の適用を可能にするために、所定の配置に従って配置された複数のヘア・エクステンション（Ｃ）が提供される、前記請求項のいずれか一項に記載の方法。
【請求項３３】
濃くし且つ／又は長くすることによって髪のボリュームを増やすためのアセンブリであって、
＊対応するそれぞれの接続要素（９）を備えた対応するそれぞれの近位端（７）を有する１つ又は複数のヘア・エクステンション（Ｃ）と、
＊濃くする髪に可逆的に適用するのに適した第１の粘着テープ（４；１０２）と、
＊前記接続要素（９）を受け取るのに適した粘着面（４３；１０５；２０５；３０５）を有する第２の粘着テープ（３；１０４；２０４；３０４）と
を備えたアセンブリ。
【請求項３４】
濃くし且つ／又は長くすることによって髪のボリュームを増やすためのアセンブリであって、
＊対応するそれぞれの接続要素（９）を備えた対応するそれぞれの近位端（７）を有する１つ又は複数のヘア・エクステンション（Ｃ）と、
＊その上に所定の配置に従って前記近位端（７）が配置された粘着面（４３）を備えたセクション（３）を有する粘着テープ（２）と
を備え、
前記粘着テープ（２）が、前記セクション（３）の上に折り畳みそれを完全に覆うのに適した残部（４）を含み、前記セクション（３）と前記残部（４）が折畳み線（５）によって分離されており、前記セクション（３）の前記粘着面（４３）が髪に可逆的に適用するのに適している
アセンブリ。
【請求項３５】
前記接続要素（９）が熱可塑性材料から作られている、請求項３３又は３４の一項に記載のアセンブリ（１）。
【請求項３６】
前記粘着テープ（３、４；１０２；１０４；２０４；３０４）が透明である、請求項３３又は３４に記載のアセンブリ（１）。
【請求項３７】
前記熱可塑性材料がポリエステル及び／又はポリアミド及び／又はポリウレタンを含む、請求項３５に記載のアセンブリ（１）。
【請求項３８】
前記粘着面（４３、４４；１０２；１０５；２０５；３０５）が、圧力で機能する非永続性のリバーシブル・タイプの接着剤を有し、対応するそれぞれの前記テープ（３、４；１０２；１０４；２０４；３０４）に対する接着力が前記熱可塑性材料に対して生み出される接着力よりも大きい、請求項３３又は３４に記載のアセンブリ（１）。
【請求項３９】
少なくとも前記粘着テープ（３、４；１０２；１０４；２０４；３０４）が耐熱性である、請求項３３又は３４に記載のアセンブリ（１）。
【請求項４０】
前記接続要素（９）が実質的に等間隔であり、粘着テープ（２）の対応するそれぞれの前記セクション（３）の中央に置かれており、隣接するエクステンション（Ｃ）の髪がからみ合わないように前記エクステンション（Ｃ）が互いに平行に整列している、請求項３４に記載のアセンブリ（１）。
【請求項４１】
粘着テープ（２）の前記残部（４）が、前記接続要素（９）の位置を指示するための手段（４９）を有する、請求項３４に記載のアセンブリ（１）。
【請求項４２】
前記粘着テープ（２）が、前記残部（４）の反対側に、前記セクション（３）の上に実質的に札入れの形状に折り畳まれた前記残部（４）に接続するのに適した、やはり粘着性のフラップ（４５）を含む、請求項３４に記載のアセンブリ（１）。
【請求項４３】
折り畳まれた形状で前記アセンブリ（１）がさらに、前記テープ（２）の両端、又は前記残部（４）及び前記フラップ（４５）を前記セクション（３）に接続する前記折り目に形成された一対の凹み（４６）を含み、前記凹み（４６）が、前記接続手段の案内の働きをする前記接続要素（９）を指示するための前記手段（４９）のところに配置されている、請求項４１及び４２に記載のアセンブリ（１）。
【請求項４４】
前記粘着テープ（３、４；１０２；１０４；２０４；３０４）から容易にはがすことができる材料から作られ、前記粘着面（４３、４４；１０２；１０５；２０５；３０５）及び前記接続要素（９）を保護するように配置された支持テープ（Ｓ）を備える、請求項３３又は３４に記載のアセンブリ（１）。
【請求項４５】
前記第２の粘着テープ（２０４）が、ヘア・エクステンション（Ｃ）の１つ又は複数の近位端（７）をそれぞれが含む前記テープの相補部分（２０５）を実施するためのものなどの、前記テープ（２０４）に形成された選択的引裂き線（２０８）を有する、請求項３３に記載のアセンブリ（１）。
【請求項４６】
前記選択的引裂き線（２０８）が実質的にフレット又はコイル形の経路に従い、そのため前記テープの相補部分（２０５）が、交互のヘア・エクステンション（Ｃ）の前記近位端（７）及び前記対応するそれぞれの接続要素（９）を受け取る、請求項４５に記載のアセンブリ（１）。
【請求項４７】
前記ヘア・エクステンション（Ｃ）の前記分離を容易にするため、前記選択的引裂き線（２０８）が、前記エクステンション（Ｃ）と向き合うループにスリットを有し、前記エクステンション（Ｃ）の反対側を向いたループに接続セクションを有する、請求項４６に記載のアセンブリ（１）。
【請求項４８】
それぞれの１つ又は複数の接続要素（９）を分離する前記テープ（２０５）を端から端まで横断する複数の選択的引裂き線又は単なる分離線（２８１）を含む、請求項４５に記載のアセンブリ（１）。
【請求項４９】
それぞれの選択的引裂き線（２８１）が、前記個々の部分の組立てを容易にする基準インデント（２８２）を含む、請求項４８に記載のアセンブリ（１）。
【請求項５０】
それぞれの選択的引裂き線（２８１）が視覚的位置基準（２８４）を含む、請求項４８に記載のアセンブリ（１）。
【請求項５１】
前記線又は前記選択的引裂き線（２０８、２８１）が別個のいくつかの接続要素（９）を分離し、これによってヘア・エクステンション（Ｃ）をセットで混合することができる、請求項４５から５０までのいずれか一項に記載のアセンブリ（１）。
【請求項５２】
前記ヘア・エクステンション（Ｃ）の前記近位端（７）を受け取る前記粘着面（３０５）が位置インジケータ（３１０）を有する、請求項３３に記載のアセンブリ（１）。
【請求項５３】
前記接続要素（９）と接触するように設計された前記粘着テープ（３、４；１０２；１０４；２０４；３０４）の前記面（４３、４４；１０２；１０５；２０５；３０５）が実質的に折り目を持ち、且つ／又は著しい表面粗さを有する、請求項３３又は３４に記載のアセンブリ（１）。
【請求項５４】
前記面（４３、４４；１０２；１０５；２０５；３０５）が、前記粘着テープ（３、４；１０２；１０４；２０４；３０４）、したがって適用された前記接続要素（９）を光沢のないものにするような表面粗さを有する、請求項５３に記載のアセンブリ（１）。
【請求項５５】
前記粗さが４つの方法のうちの１つ、すなわち適当なグレージングによる方法、例えばサンディングを用いて実施可能な機械的腐食による方法、例えば酸浴を用いこれに前記テープを浸すことで実施可能な化学的腐食による方法、又は研磨パッドを用いこれを前記テープ面にこすりつけることで実施可能な研磨による方法に従って達成される、請求項５４に記載のアセンブリ（１）。
【請求項５６】
前記面（４３、４４；１０２；１０５；２０５；３０５）が、個々の髪の直径に類似した横断寸法及び前記ヘア・エクステンション（Ｃ）の髪の方向に平行な方向の複数のリブ及びみぞを有する、請求項５３に記載のアセンブリ（１）。
【請求項５７】
前記リブ及びみぞが４つの方法、すなわち適当なグレージングによる方法、適当な型を用いて実施される押出し成形による方法、適応シルクスクリーン・パッド及び前記パッドを通して適用される腐食剤を用いて実施可能な化学エッチングによる方法、及び適当な研摩手段又は表面エッチング手段を用いたテープ材料の整列したストリップの機械的除去による方法、のうちの１つによって前記テープ面（４３、４４；１０２；１０５；２０５；３０５）上に新しく生み出される、請求項５６に記載のアセンブリ（１）。
【請求項５８】
前記面（４３、４４；１０２；１０５；２０５；３０５）が、前記粘着テープ（３、４；１０２；１０４；２０４；３０４）、したがって適用された前記接続要素（９）を光沢のないものにするような表面粗さを有し、且つ個々の髪の直径に類似した横断寸法及び前記ヘア・エクステンション（Ｃ）の髪の方向に平行な方向の複数のリブ及びみぞを有する、請求項５４及び５６に記載のアセンブリ（１）。
【請求項５９】
前記接続要素（９）と接触するように設計された粘着テープ（４３、４４；１０２；１０５；２０５；３０５）の面（３、４；１０２；１０４；２０４；３０４）が実質的にけばで覆われている、請求項３３又は３４に記載のアセンブリ（１）。
【請求項６０】
前記けばがフロック加工によって付着される、請求項５９に記載のアセンブリ（１）。
【請求項６１】
前記フロック加工は静電型である、請求項６０に記載のアセンブリ（１）。
【請求項６２】
前記けばが、前記対応するそれぞれの粘着面（４３、４４；１０２；１０５；２０５；３０５）によって前記テープ（３、４；１０２；１０４；２０４；３０４）上に保持される、請求項５９に記載のアセンブリ（１）。
【請求項６３】
前記けばが、前記粘着面（４３、４４；１０２；１０５；２０５；３０５）の前記接着剤に混入される、請求項５９に記載のアセンブリ（１）。
【請求項６４】
前記接続要素（９）が、水分の存在下で硬化する反応性ホットメルト接着剤から作られている、請求項３３又は３４に記載のアセンブリ（１）。
【請求項６５】
前記接続要素（９）が２パック接着剤から作られている、請求項３３又は３４に記載のアセンブリ（１）。
【請求項６６】
複数のヘア・エクステンション（Ｃ）の適用を可能にするために、所定の配置に従って配置された複数のヘア・エクステンション（Ｃ）が提供される、請求項３３から６５までのいずれか一項に記載のアセンブリ（１）。
【国際調査報告】
2005539159.tif 000045
2005539159.tif 000046